(57)【要約】      （修正有）【課題】面付錠等の取付け時にドア枠等の変形を防止しながら、面付錠等に対する固定も確実に行うことができ、外側部材に対する不正な破壊工作等を効果的に防止することができる取付金具を提供する。【解決手段】内側部材１０と外側部材２０との間に空間を有する框やドア枠等に対する面付錠等の取付用の金具であって、面付錠等を固定するための内側部材１０と、ドア枠外側に装着するための外側部材２０とからなり、内側部材１０と外側部材２０は、互いに螺合する第１連結部材１１と第２連結部材２１とを有し、第１連結部材１１と第２連結部材２１はドア枠等の内側部材１０と外側部材２０との内部間隔に適合した状態に連結可能で、内側部材１０と外側部材２０とを固定可能に形成し、上記第１連結部材１１と第２連結部材２１との連結状態を固定する固定部材３０を、第１連結部材１１または第２連結部材２１に互いに逆ネジとなるよう螺合可能に設けている。【選択図】図２
2005194690.tif 000002
【特許請求の範囲】
【請求項１】
内側部材と外側部材との間に空間を有する框やドア枠等に対する面付錠等の取付用の金具であって、面付錠等を固定するための内側部材と、ドア枠外側に装着するための外側部材とからなり、内側部材と外側部材は、互いに螺合する第１連結部材と第２連結部材とを有し、第１連結部材と第２連結部材はドア枠等の内側部材と外側部材との内部間隔に適合した状態に連結可能で、かつ内側部材と外側部材とを固定可能に形成しており、さらに、上記第１連結部材と第２連結部材との連結状態を固定する固定部材を、第１連結部材または第２連結部材に螺合可能に設けていると共に、この固定部材の螺合方向と上記連結部材の第１連結部と第２連結部との螺合方向とを互いに逆ネジとなるよう構成していることを特徴とする面付錠等の取付金具。
【請求項２】
外側部材に長孔状の貫通孔を設け、この外側部材を覆うカバーを設けると共に、カバーには外側部材の貫通孔に挿通可能な突出部を設けており、当該カバーは外側部材の面方向にスライドさせることにより、外側部材とカバーとを係合可能に構成しており、面付錠等の装着時に面付錠等の一部をカバーの突出部に係止させることにより、カバーをスライド不能として係合が解除されないよう構成していることを特徴とする請求項１記載の面付錠等の取付金具。
【発明の詳細な説明】
【技術分野】
【０００１】
この発明は、内側部材と外側部材との間に空間を有するドア枠や框等に対する面付錠等の取付用の金具に関する。
【背景技術】
【０００２】
従来、内側部材と外側部材との間に空間を有するドア枠や框等に対する面付錠等の取付けは、一般にドア枠や框を貫通させたボルト等を面付錠等に対して直接螺合させて当該面付錠等を固定する構成の取付金具を用いてなされている。
上記取付金具は、固定板と固定板を介して挿通させたボルトからなり、固定板をドア枠や框に装着すると共に、ボルトを使用して当該固定板と共に面付錠を固定する構成のものである。
【０００３】
しかしながら、上記構成の取付金具では、ドア枠を挟む状態に固定板と面付錠が配置され、両者を連結するようにボルトが締結されるので、ドア枠内部の空間が圧迫される状態となり、ドア枠が変形してしまうという問題点があった。
これに対して、特許文献１に開示されたように、ドア枠の外側部材が内側に変形しないように、ドア枠内側となる位置に変形阻止部材を具備する構成の締付け構造が提供されている。
【特許文献１】特開２００３−１２９７０１号公報
【発明の開示】
【発明が解決しようとする課題】
【０００４】
しかしながら、上記構成の締付け構造では、変形阻止部材を装着する際に、予めドア枠内部の空間に合致させた長さに決定する必要があり、ドア枠内部に対応した最適な長さとするのが非常に手間がかかり、しかも、錠の取付け状態で長さを決定していないので、最適な長さであるのかどうかの確認が容易でないという問題点があった。
また、上記締付け構造では、変形阻止部材がドア枠の表面側に当たっているので、錠本体の取付け用のボルトを締め付けていくとこの位置が支点となって、ドア枠の表面部材が湾曲し易いという欠点があった。
【０００５】
さらに、一般的な取付金具において、表面側の固定部材はドア枠外側に露出した構成となっているので、取付金具に対する不正な破壊工作等が行われる可能性があった。
そこで、この発明は、面付錠等の取付け時にドア枠等の変形を確実に防止しながら、面付錠等に対する固定も確実に行うことができると共に、外側部材に対する不正な破壊工作等を効果的に防止することができる取付金具を提供することを目的としている。
【課題を解決するための手段】
【０００６】
上記目的を達成するため、この発明の面付錠等の取付金具としては、内側部材と外側部材との間に空間を有する框やドア枠等に対する面付錠等の取付用の金具であって、面付錠等を固定するための内側部材と、ドア枠外側に装着するための外側部材とからなり、内側部材と外側部材は、互いに螺合する第１連結部材と第２連結部材とを有し、第１連結部材と第２連結部材はドア枠等の内側部材と外側部材との内部間隔に適合した状態に連結可能で、かつ内側部材と外側部材とを固定可能に形成しており、さらに、上記第１連結部材と第２連結部材との連結状態を固定する固定部材を、第１連結部材または第２連結部材に螺合可能に設けていると共に、この固定部材の螺合方向と上記連結部材の第１連結部と第２連結部との螺合方向とを互いに逆ネジとなるよう構成していることを特徴としている。
【０００７】
上記構成の取付金具であれば、第１連結部材と第２連結部材とを框やドア枠等の内側部材と外側部材との内部間隔に適合した状態で連結可能に形成しているため、内部に空間を有する框やドア枠等に装着する際、内部空間に適合させた状態で連結部材を簡単に装着することができる。また、この状態で、固定部材を第１連結部材または第２連結部材に対して螺合可能に設けているので、第１連結部材と第２連結部材の連結状態を確実に固定させることができる。
【０００８】
固定部材の螺合の際、固定部材の螺合方向と、第１連結部材と第２連結部材との螺合方向を逆ネジとなるように構成しているので、固定部材を第１連結部材または第２連結部材に対して螺合させても、第１連結部材または第２連結部材がつれ回りを起こす虞は無い。したがって、第１連結部材と第２連結部材との連結長が変化することはないので、框やドア枠等の内部空間に影響を及ぼすことが無くなり、より確実に面付錠等を固定することができる。
【０００９】
したがって、面付錠等を装着する際、取付金具による框やドア枠等の変形を確実に防止することができると共に、取付金具を確実に固定することができるので、面付錠等を強固に固定することができる。
また、上記連結部材はドア枠等に対する面付錠等の支持部材を兼用しているので、ドア枠等が変形する虞も確実に解消することができる。
【００１０】
また、この発明の請求項２記載の取付金具は、外側部材に長孔状の貫通孔を設け、この外側部材を覆うカバーを設けると共に、カバーには外側部材の貫通孔に挿通可能な突出部を設けており、当該カバーは外側部材の面方向にスライドさせることにより、外側部材とカバーとを係合可能に構成しており、面付錠等の装着時に面付錠等の一部をカバーの突出部に係止させることにより、カバーをスライド不能として係合が解除されないよう構成していることを特徴としている。
【００１１】
上記構成の取付金具によれば、外側部材に対するカバーを設けて、かつ面付錠等をカバーの筒状部材に係止させ、面付錠等の一部をカバーに係止させているので、面付錠等を装着している限り、カバーをスライドさせることができず、カバーの係合が解除されてカバーが外れることは無いので、外側部材に対する不正な破壊工作等を効果的に防止することができる。
【発明を実施するための最良の形態】
【００１２】
次いで、この発明の実施の形態を図面を参照して説明する。図１はこの発明の実施形態を示す取付金具の斜視図、図２は取付金具の断面図、図３は取付状態を示す分解斜視図である。
この発明の実施の形態の一例としての取付金具１は、面付錠等を固定するための板状の内側部材１０と、ドア枠Ｄ外側に装着する外側部材２０とによって構成しており、さらに内側部材１０側に、上記外側部材２０側へ向けて第１連結部材１１を設け、外側部材２０には、第１連結部材１１と対向するように第２連結部材２１を設けている。
【００１３】
この実施の態様では、内側部材１０は、図３に示すように、面付錠Ｋの裏面側に一体となるように形成しており、面付錠Ｋの固定ボルトを取付け可能に形成している。しかしながら、面付錠Ｋの裏部材を内側部材１０として用いることもできる。
次に、外側部材２０は、この実施の形態ではドア枠Ｄの外側に装着可能な板状部材にて形成しており、内側となる面に第２連結部材２１を装着している。そして、上記第１連結部材１１と第２連結部材２１とは、互いに螺合可能に形成しており、図２及び図３に示すように、ドア枠Ｄを挟むように連結可能に形成している。
【００１４】
さらに、この実施の態様では、ドア枠Ｄの内側から第１連結部材１１の内部を貫通させると共に、先端が第２連結部材２１と螺合する固定部材３０を設けている。また、第１連結部材１１と第２連結部材２１との螺合方向に対して、上記固定部材３０の螺合方向は逆ネジとなるよう構成している。したがって、固定部材３０と第２連結部材２１との螺合時に、第２連結部材２１が固定部材３０の回転によってつれ回りすることはなく、第１連結部材１１と第２連結部材２１との螺合状態が変わることがないので、上記ドア枠Ｄの内部空間が変化する虞は全くない。このため、ドア枠Ｄが、当該面付錠Ｋを装着することによって変形する虞も解消するものである。
【００１５】
この取付金具１を使用する際には、先ず、外側部材２０をドア枠Ｄの表面側から、第２連結部材２１をドア枠Ｄの挿通孔ｄを介して内側に通し、ドア枠Ｄの内側に内側部材１０を配すると共に、内側部材１０の挿通孔を通して第１連結部材１１を配して、第１連結部材１１と第２連結部材２１とを螺合させる。この第１連結部材１１と第２連結部材２１との螺合方向は、図３に矢印ｘで示すように逆ネジ（左ネジ）に構成している。そして、第１連結部材１１と第２連結部材２１との螺合状態は、ドア枠Ｄの内部空間が変形しないように、しかも内側部材１０と外側部材２０とが確実に固定されるように締め付ける。
【００１６】
次に、固定部材３０を、第１連結部材１１の長手方向で、かつ第１連結部材１１の中を通して第２連結部材２１に対して螺合させる。このとき固定部材３０と第２連結部材２１との螺合は、一般的な右ネジとして構成している。したがって、固定部材３０を回転させても、第１連結部材１１と第２連結部材２１との離反方向への力が働くので第２連結部材２１がつれ回りすることは無く、第１連結部材１１と第２連結部材２１との螺合状態が変化する虞は無い。
【００１７】
固定部材３０を螺合させた後は、面付錠Ｋを固定ボルトｂを用いて内側部材１０に対して固定する。したがって、この取付金具１を使用することにより、ドア枠Ｄに対してドア枠Ｄの変形を確実に防止することできると共に、面付錠Ｋの取付けも確実に行うことができる。
そして、この実施の態様では、外側部材２０に対してカバー４０を装着した形態を示している。図２に示すように、カバー４０は、中央に筒状部４０ａを有するものであり、外側部材２０の縦長の貫通孔２０ａに対し、筒状部４０ａを図１の上方側位置（２店鎖線参照）で挿入し、外側部材２０の面方向下方にスライドさせることにより、カバー４０と外側部材２０とがロック状態となるように構成している。そして、この状態で、面付錠Ｋを装着すると、面付錠Ｋの筒状部ｋがカバー４０の筒状部４０ａに挿入される状態となり、カバー４０のスライドがロックされるのでカバー４０が外れなくなる。したがって、カバー４０が装着されている限り外側部材２０に対する不正な破壊工作等を効果的に防止することができる。
【図面の簡単な説明】
【００１８】
【図１】この発明の実施形態を示す取付金具の斜視図である。
【図２】上記取付金具の断面図である。
【図３】上記取付状態を示す分解斜視図である。
【符号の説明】
【００１９】
１        取付金具
１０      内側部材
１１      第１連結部材
２０      外側部材
２１      第２連結部材
３０      固定部材
４０      カバー
Ｄ        ドア枠
Ｋ        面付錠
【図１】
2005194690.tif 000003
【図２】
2005194690.tif 000004
【図３】
2005194690.tif 000005